(57)【特許請求の範囲】
【請求項１】
前側形材と、後側形材と、二つの断熱材とを有する枠材を備え、前側形材は、後端面が、内外周方向の一方側で前寄りに位置する前側前寄り面と、他方側で後寄りに位置する前側後寄り面と、前側前寄り面と前側後寄り面を接続する前側接続面からなり、後側形材は、前端面が、内外周方向の一方側で前寄りに位置する後側前寄り面と、他方側で後寄りに位置する後側後寄り面と、後側前寄り面と後側後寄り面を接続する後側接続面からなり、一方の断熱材が、前側前寄り面と後側前寄り面の間に挟んであり、他方の断熱材が、前側後寄り面と後側後寄り面の間に挟んであり、両断熱材を枠材の内外周側からかしめて固定してあるものであって、前側前寄り面又は前側接続面から前側形材の他方側面又は前側面へ延びる前側補強片と、後側後寄り面又は後側接続面から後側形材の一方側面又は後側面へ延びる後側補強片を形成してあることを特徴とするサッシ。
【請求項２】
前側接続面は、前側前寄り面の他方側端から後側に傾斜して前側後寄り面の一方側端に接続してあって、前側補強片は、前側前寄り面の他方側端から、前側接続面と内外周方向に対して略対称に延びており、後側接続面は、後側後寄り面の一方側端から前側に傾斜して後側前寄り面の他方側端に接続してあって、後側補強片は、後側後寄り面の一方側端から、後側接続面と内外周方向に対して略対称に延びていることを特徴とする請求項１記載のサッシ。
【発明の詳細な説明】
【技術分野】
【０００１】
本発明は、枠材を二部材に分離してその間に断熱材を挟み込んだサッシに関する。
【背景技術】
【０００２】
従来、アルミサッシの断熱性能を高めるため、図７に示すように、枠材（下枠）１１０を前側（室外側）形材１０１と後側（室内側）形材１０２の二部材に分離して、その間に断熱材１０３を挟み込んだものがある。この例は引違い窓の場合を示しており、前側形材１０１と後側形材１０２のそれぞれの上面にレール１１５，１２５を形成してあって、二枚の障子１０４ａ，１０４ｂを摺動自在に取り付けてある。また、枠材１１０は躯体１０５に取り付けてあって、特に前側形材１０１の下面に立設片１１６を形成してあり、立設片１１６が躯体１０５の見付面に当接している。ここで、より断熱効果を高めるため、図８（ａ）に示すように、断熱材２０３ａ，２０３ｂを枠材２１０の内周側と外周側の二箇所に挟み込むことが考えられる。ただ、従来品と互換性を持たせるためには、枠材２１０（前側形材２０１及び後側形材２０２）の外形を変えないようにする必要があり、枠材２１０の内周側に形成したレール２１５，２２５や外周側に形成した立設片２１６を避けるには、二つの断熱材２０３ａ，２０３ｂを前後方向にずらして設けなければならない。そして、このような構成の枠材２１０は、図８（ｂ）に示すように、前側形材２０１と後側形材２０２の間に二つの断熱材２０３ａ，２０３ｂを取り付け、これを前後の送りローラＲ１で送り、内外周側からカシメローラＲ２で挟み込んでかしめることで製造される。
【発明の概要】
【発明が解決しようとする課題】
【０００３】
しかしながら、二つの断熱材２０３ａ，２０３ｂが前後方向にずれており、二つのカシメローラＲ２によって枠材２１０に加えられる力の作用点が同一直線上にないので、枠材２１０を回転させようとする力が働く（図８（ｂ）では反時計回り）。これにより、枠材２１０にねじれや変形が生じ、前側形材２０１に形成した立設片２１６や後側形材２０２に形成したレール２２５がカシメローラＲ２に衝突して損傷するおそれがある（図８（ｂ）中の二点鎖線で示した状態）。
【０００４】
本発明は、上記事情を鑑みたものであり、枠材が、前後にずれた二つの断熱材を有し、これを内外周側からかしめて固定できるサッシを提供することを目的とする。
【課題を解決するための手段】
【０００５】
本発明のうち請求項１の発明は、前側形材と、後側形材と、二つの断熱材とを有する枠材を備え、前側形材は、後端面が、内外周方向の一方側で前寄りに位置する前側前寄り面と、他方側で後寄りに位置する前側後寄り面と、前側前寄り面と前側後寄り面を接続する前側接続面からなり、後側形材は、前端面が、内外周方向の一方側で前寄りに位置する後側前寄り面と、他方側で後寄りに位置する後側後寄り面と、後側前寄り面と後側後寄り面を接続する後側接続面からなり、一方の断熱材が、前側前寄り面と後側前寄り面の間に挟んであり、他方の断熱材が、前側後寄り面と後側後寄り面の間に挟んであり、両断熱材を枠材の内外周側からかしめて固定してあるものであって、前側前寄り面又は前側接続面から前側形材の他方側面又は前側面へ延びる前側補強片と、後側後寄り面又は後側接続面から後側形材の一方側面又は後側面へ延びる後側補強片を形成してあることを特徴とする。ここで、前側面とは、前側形材において前側前寄り面、前側後寄り面又は前側接続面の前方に位置する面であり、たとえば前側形材の前端面である。また、後側面とは、後側形材において後側前寄り面、後側後寄り面又は後側接続面の後方に位置する面であり、たとえば後側形材の後端面である。
【０００６】
本発明のうち請求項２の発明は、前側接続面は、前側前寄り面の他方側端から後側に傾斜して前側後寄り面の一方側端に接続してあって、前側補強片は、前側前寄り面の他方側端から、前側接続面と内外周方向に対して略対称に延びており、後側接続面は、後側後寄り面の一方側端から前側に傾斜して後側前寄り面の他方側端に接続してあって、後側補強片は、後側後寄り面の一方側端から、後側接続面と内外周方向に対して略対称に延びていることを特徴とする。
【発明の効果】
【０００７】
本発明のうち請求項１の発明によれば、前側（後側）補強片を設けることにより、カシメローラの力が前側（後側）接続面と前側（後側）補強片とに分散されて、枠材のねじれや変形が防止される。
【０００８】
本発明のうち請求項２の発明によれば、特に前側（後側）接続面と前側（後側）補強片とが、内外周方向（カシメローラの力が加わる方向）に対して前後に略対称に傾斜しているので、カシメローラの力が均等に分散されて、枠材のねじれや変形が確実に防止される。
【図面の簡単な説明】
【０００９】
【図１】本発明のサッシの縦断面図である。
【図２】枠材の製造方法を示す説明図である。
【図３】（ａ）〜（ｅ）は、枠材の別実施形態の例示図である。
【図４】（ａ）〜（ｃ）は、枠材の別実施形態の例示図である。
【図５】（ａ）〜（ｃ）は、枠材の別実施形態の例示図である。
【図６】枠材の別実施形態の例示図である。
【図７】従来のサッシの縦断面図である。
【図８】（ａ）は断熱材を二つにした場合の枠材の断面図であり、（ｂ）はそれを製造する際の問題点の説明図である。
【発明を実施するための形態】
【００１０】
以下、本発明の実施の形態を図面に基づいて説明する。なお、前側は室外側（図１の左側）、後側は室内側（図１の右側）であり、一方側は内周側（図１の上側）、他方側は外周側（図１の下側）であるとする。ここでは、サッシの一例として、枠材を四周枠組みして構成した枠体に、二枚の障子を引違いに納めた引違い窓の例を挙げる。図１に示すように、枠材（下枠）１０は、前側形材１と、後側形材２の二部材に分離してあり、その間の、内周側と外周側の二箇所に、二つの断熱材３ａ，３ｂを挟み込んである。前述のとおり、互換性を維持するため、枠材１０の外形は従来品（図７）と同じである。すなわち、前側形材１と後側形材２のそれぞれの上面にはレール１５，２５を形成してあって、二枚の障子４ａ，４ｂを摺動自在に取り付けてある。また、枠材１０は躯体５に取り付けてあって、特に前側形材１の下面に立設片１６を形成してあり、立設片１６が躯体５の見付面に当接している。そして断熱材３ａ，３ｂについては、断熱性を得るためにある程度の前後方向長さが必要であり、この二つの断熱材３ａ，３ｂを、枠材１０の内周側に形成したレール１５，２５や、外周側に形成した立設片１６を避けて取り付けるには、内周側の断熱材３ａを前側に、外周側の断熱材３ｂを後側にずらさなければならない。
【００１１】
そのように断熱材３ａ，３ｂを取り付けるため、前側形材１及び後側形材２を、次のような形状とした。すなわち、前側形材１の後端面は、内周側で前寄りに位置する前側前寄り面１１と、外周側で後寄りに位置する前側後寄り面１２と、前側前寄り面１１の外周側端から後側に傾斜して前側後寄り面１２の内周側端に接続してある前側接続面１３からなる。一方、後側形材２の前端面は、内周側で前寄りに位置する後側前寄り面２１と、外周側で後寄りに位置する後側後寄り面２２と、後側後寄り面２２の内周側端から前側に傾斜して後側前寄り面２１の外周側端に接続してある後側接続面２３からなる。そして、内周側の断熱材３ａが、前側前寄り面１１と後側前寄り面２１の間に挟んであり、外周側の断熱材３ｂが、前側後寄り面１２と後側後寄り面２２の間に挟んである。
【００１２】
ここで、前側前寄り面１１の外周側端及び前側後寄り面１２の内周側端並びに後側前寄り面２１の外周側端及び後側後寄り面２２の内周側端には、支持爪１７，２７を形成してある。また、前側前寄り面１１の内周側端及び前側後寄り面１２の外周側端並びに後側前寄り面２１の内周側端及び後側後寄り面２２の外周側端には、押圧爪１８，２８を形成してある。断熱材３ａ，３ｂは、その前後端がそれぞれ支持爪１７，２７と押圧爪１８，２８とで挟まれるようにして取り付け、枠材１０の内外周側から押圧爪１８，２８に力を加え、かしめて固定する。なお、かしめる具体的な方法については後述する。
【００１３】
さらに、前側前寄り面１１から前側形材１の外周側面１９へ延びる、前側補強片１４を形成してある。前側補強片１４は、前側前寄り面１１の外周側端から、前側接続面１３と内外周方向に対して略対称に延び、途中で屈曲して外周方向に延びて前側形材１の外周側面１９へ至る。また、後側後寄り面２２から後側形材２の内周側面２９へ延びる、後側補強片２４を形成してある。後側補強片２４は、後側後寄り面２２の内周側端から、後側接続面２３と内外周方向に対して略対称に延び、途中で屈曲して内周方向に延びて後側形材２の内周側面２９へ至る。
【００１４】
次に、このように構成した枠材１０について、断熱材３ａ，３ｂをかしめて固定する方法を説明する。図２に示すように、製造時には、前側が上、後側が下になる向きにして、前後（上下）から送りローラＲ１で挟み込んで送る。そして、内外周側（右左）からカシメローラＲ２で挟み込み、押圧爪１８，２８に力を加えてかしめることで、断熱材３ａ，３ｂを固定する。この際、二つの断熱材３ａ，３ｂが前後方向にずれているので、二つのカシメローラＲ２によって枠材１０に加えられる力の作用点が同一直線上にはない。しかし、本発明のサッシの枠材１０においては、前側（後側）補強片１４（２４）を設けてあり、特に前側（後側）接続面１３（２３）と前側（後側）補強片１４（２４）とが、内外周方向（カシメローラＲ２の力が加わる方向）に対して前後に略対称に傾斜している。よって、図２中の矢印で示すように、カシメローラＲ２の力が均等に分散されて、枠材のねじれや変形が確実に防止される。
【００１５】
なお、前側補強片１４は、前側前寄り面１１又は前側接続面１３から前側形材１の外周側面１９又は前側面２０へ延びるものであればよく、後側補強片２４は、後側後寄り面２２又は後側接続面２３から後側形材２の内周側面２９又は後側面３０へ延びるものであればよい。図３は、上記実施形態とは異なる形態の前側補強片１４及び後側補強片２４の例を示したものである。（ａ）は、前側補強片１４が、前側前寄り面１１の内周側端から、内外周方向に対して略４５度前側に傾斜して延び、前側形材１の外周側面１９に至る。また、後側補強片２４が、後側後寄り面２２の外周側端から、内外周方向に対して略４５度後側に傾斜して延び、後側形材２の後側面（後端面）３０に至る。（ｂ）は、前側補強片１４が、前側接続面１３の中間部から、内外周方向に対して略４５度前側に傾斜して延び、前側形材１の外周側面１９に至る。また、後側補強片２４が、後側接続面２３の中間部から、内外周方向に対して略４５度後側に傾斜して延び、途中で屈曲して内周方向に延びて後側形材２の内周側面２９に至る。（ｃ）は、前側補強片１４が、前側前寄り面１１の外周側端から外周方向に延び、前側形材１の外周側面１９に至る。また、後側補強片２４が、後側後寄り面２２の内周側端から内周方向に延び、後側形材２の内周側面２９に至る。（ｄ）は、前側補強片１４が、前側前寄り面１１の内周側端から、内外周方向に対して略４５度前側に傾斜して延び、途中で屈曲して外周方向に延びて前側形材１の外周側面１９へ至る。また、後側補強片２４が、後側後寄り面２２の外周側端から、内外周方向に対して略４５度後側に傾斜して延び、途中で屈曲して内周方向に延びて後側形材２の内周側面２９へ至る。（ｅ）は、前側補強片１４が、前側接続面１３の中間部から、内外周方向に対して略４５度前側に傾斜して延び、途中で屈曲して外周方向に延びて前側形材１の外周側面１９へ至る。また、後側補強片２４が、後側接続面２３の中間部から、内外周方向に対して略４５度後側に傾斜して延び、途中で屈曲して内周方向に延びて後側形材２の内周側面２９へ至る。
【００１６】
また、前側接続面１３は、前側前寄り面１１と前側後寄り面１２を接続するものであればよく、後側接続面２３は、後側前寄り面２１と後側後寄り面２２を接続するものであればよい。図４は、上記実施形態とは異なる形態の前側接続面１３及び後側接続面２３の例を示したものであり、前側接続面１３は、前側前寄り面１１の外周側端から後側方向に延び、途中で屈曲して外周方向に延びて前側後寄り面１２の内周側端に接続してある。また、後側接続面２３は、後側後寄り面２２の内周側端から前側方向に延び、途中で屈曲して内周方向に延びて後側前寄り面２１の外周側端に接続してある。そして、前側接続面１３及び後側接続面２３に合わせて、前側補強片１４及び後側補強片２４の形態も異なるものとなっている。（ａ）は、前側補強片１４が、前側前寄り面１１の外周側端から前側方向に延び、途中で屈曲して外周方向に延びて前側形材１の外周側面１９に至る。また、後側補強片２４が、後側後寄り面２２の内周側端から後側方向に延び、途中で屈曲して内周方向に延びて後側形材２の内周側面２９に至る。（ｂ）は、前側補強片１４が、前側前寄り面１１の外周側端から外周方向に延び、前側形材１の外周側面１９に至る。また、後側補強片２４が、後側後寄り面２２の内周側端から内周方向に延び、後側形材２の内周側面２９に至る。（ｃ）は、前側補強片１４が、前側前寄り面１１の外周側端から、内外周方向に対して略４５度前側に傾斜して延び、途中で屈曲して外周方向に延びて前側形材１の外周側面１９へ至る。また、後側補強片２４が、後側後寄り面２２の内周側端から、内外周方向に対して略４５度後側に傾斜して延び、途中で屈曲して内周方向に延びて後側形材２の内周側面２９へ至る。
【００１７】
さらに、図５も、上記実施形態とは異なる形態の前側接続面１３及び後側接続面２３の例を示したものであり、前側接続面１３は、前側前寄り面１１の外周側端から外周方向に延び、途中で屈曲して後側方向に延びて前側後寄り面１２の内周側端に接続してある。また、後側接続面２３は、後側後寄り面２２の内周側端から内周方向に延び、途中で屈曲して前側方向に延びて後側前寄り面２１の外周側端に接続してある。そして、前側接続面１３及び後側接続面２３に合わせて、前側補強片１４及び後側補強片２４の形態も異なるものとなっている。（ａ）は、前側補強片１４が、前側接続面１３の屈曲部から前側方向に延び、途中で屈曲して外周方向に延びて前側形材１の外周側面１９に至る。また、後側補強片２４が、後側接続面２３の屈曲部から後側方向に延び、途中で屈曲して内周方向に延びて後側形材２の内周側面２９に至る。（ｂ）は、前側補強片１４が、前側接続面１３の屈曲部から外周方向に延び、前側形材１の外周側面１９に至る。また、後側補強片２４が、後側接続面２３の屈曲部から内周方向に延び、後側形材２の内周側面２９に至る。（ｃ）は、前側補強片１４が、前側接続面１３の屈曲部から、内外周方向に対して略４５度前側に傾斜して延び、前側形材１の外周側面１９に至る。また、後側補強片２４が、後側接続面２３の屈曲部から後側方向に延び、途中で屈曲して内周方向に延びて後側形材２の内周側面２９に至る。
【００１８】
また、図６は、上記実施形態とは外形の異なる枠材における場合を示す。この枠材１０は、たてすべり出し窓に用いられる下枠であって、前側形材１と、後側形材２の二部材に分離してあり、前側形材１は略Ｌ字形、後側形材２は略矩形である。前側形材１と後側形材２の間には、内周側と外周側の二箇所に二つの断熱材３ａ，３ｂを挟み込んであって、内周側の断熱材３ａが前側に、外周側の断熱材３ｂが後側にずれている。このように断熱材３ａ，３ｂを取り付けるため、前側形材１の後端面は、内周側で前寄りに位置する前側前寄り面１１と、外周側で後寄りに位置する前側後寄り面１２と、前側前寄り面１１の外周側端から後側に傾斜して前側後寄り面１２の内周側端に接続してある前側接続面１３からなる。一方、後側形材２の前端面は、内周側で前寄りに位置する後側前寄り面２１と、外周側で後寄りに位置する後側後寄り面２２と、後側後寄り面２２の内周側端から前側に傾斜して後側前寄り面２１の外周側端に接続してある後側接続面２３からなる。そして、内周側の断熱材３ａが、前側前寄り面１１と後側前寄り面２１の間に挟んであり、外周側の断熱材３ｂが、前側後寄り面１２と後側後寄り面２２の間に挟んである。さらに、前側形材１及び後側形材２に、それぞれ前側補強片１４及び後側補強片２４を形成してある。前側補強片１４は、前側前寄り面１１の外周側端から、内外周方向に対して略４５度前側に傾斜して延び、前側形材１の前側面（前側前寄り面１１、前側後寄り面１２及び前側接続面１３の前方に位置する面）２０に至る。また、後側補強片２４は、後側後寄り面２２の内周側端から、内外周方向に対して略４５度後側に傾斜して延び、後側形材２の後側面（後端面）３０に至る。
【００１９】
このように、前側補強片１４及び後側補強片２４並びに前側接続面１３及び後側接続面２３は、種々の形態をとり得るものであるが、何れの場合においても、カシメローラＲ２の力が前側（後側）補強片１４（２４）と前側（後側）接続面１３（２３）とに分散されて、枠材１０のねじれや変形が防止される。
【００２０】
本発明は、上記の実施形態に限定されない。たとえば、前側補強片や後側補強片は、それぞれ複数設けてもよい。また、下枠以外に、上枠や縦枠についても、同様の構成としてもよい。さらに、窓種は引違い窓やたてすべり出し窓に限られるものではなく、断熱材を有する枠材を備えるあらゆるサッシに適用できる。
【符号の説明】
【００２１】
１  前側形材
２  後側形材
３ａ，３ｂ  断熱材
１０  枠材
１１  前側前寄り面
１２  前側後寄り面
１３  前側接続面
１４  前側補強片
１９  他方側面（外周側面）
２０  前側面
２１  後側前寄り面
２２  後側後寄り面
２３  後側接続面
２４  後側補強片
２９  一方側面（内周側面）
３０  後側面
【図１】
0005658078.tif 000002
【図２】
0005658078.tif 000003
【図３】
0005658078.tif 000004
【図４】
0005658078.tif 000005
【図５】
0005658078.tif 000006
【図６】
0005658078.tif 000007
【図７】
0005658078.tif 000008
【図８】
0005658078.tif 000009